(57)【要約】 【課題】  電子マネーによる決済のための専用アプリの提供を決済サーバから決済時に受領する必要がなく、かつ商品購入時に決済を行うことができるオンライン金銭処理システムおよびプログラムを提供する。【解決手段】  携帯電話機１０は、電子マネー決済選択情報に応答して、電子マネー用の決済情報が専用タグのｃＨＭＴＬで記述された電子マネー決済許可情報を、小売店サーバ１１から受信すると、「決済ボタン」を表示する。ユーザが「決済ボタン」を押下すると、アクセスモジュール１０２によって、非接触ＩＣチップから電子マネー情報を読み出し、読み出した電子マネー情報と専用タグのｐａｒａｍ値とを電子マネー会社サーバ１２に送信する。携帯電話機１０は、電子マネー会社サーバ１２から、決済処理で求められた減額情報を受信すると、アクセスモジュール１０２によって、非接触ＩＣチップ１０１の電子マネーの減額処理を行い、決済処理を完了する。【選択図】      図１
2008139909.tif 000002
【特許請求の範囲】
【請求項１】
電子マネーを表す電子マネー情報を記憶する記憶部を含み、携帯可能であり、かつ無線によってコンピュータネットワークに接続可能な購入処理部と、
コンピュータネットワークを介してオンラインで商品の販売を行う販売処理部と、
コンピュータネットワークを介して電子マネーによる代金の精算を行う代金精算処理部とを含み、
購入処理部は、販売処理部から購入する商品の代金の決済を電子マネーによって行う旨の決済要求情報を販売処理部に送信し、
販売処理部は、購入処理部から決済要求情報を受信すると、購入される商品の代金を表す代金情報および電子マネーによる決済を許可するための許可情報を購入処理部に送信し、
購入処理部は、販売処理部から代金情報および許可情報を受信すると、記憶部に記憶される電子マネー情報を読み出し、読み出した電子マネー情報および購入処理部から受信した代金情報を代金精算処理部に送信し、
代金精算処理部は、購入処理部から電子マネー情報および代金情報を受信すると、受信した電子マネー情報が示す電子マネーの金額から、受信した代金情報が示す商品の代金を減額し、減額した電子マネーの残額を表す残額情報を購入処理部に送信し、
購入処理部は、代金精算処理部から残額情報を受信すると、受信した残額情報を新たな電子マネー情報として記憶部に記憶することを特徴とするオンライン金銭処理システム。
【請求項２】
前記購入処理部は、
決済の開始の指示を要求するための決済指示要求情報を表示する表示部と、表示部に表示される決済指示要求情報に応答して、決済の開始を指示するための決済開始指示情報を入力する入力部とをさらに含み、
前記販売処理部から許可情報を受信すると、決済開始要求情報を表示部に表示し、表示部に表示された決済開始要求情報に応答して、入力部によって決済開始指示情報が入力された後に、記憶部に記憶される電子マネー情報を読み出し、読み出した電子マネー情報を代金情報とともに代金精算処理部に送信することを特徴とする請求項１に記載のオンライン金銭処理システム。
【請求項３】
前記許可情報は、コンパクトハイパーテキストマークアップ言語（ｃＨＴＭＬ）で記述される予め定める様式の命令によって表されることを特徴とする請求項１に記載のオンライン金銭処理システム。
【請求項４】
前記購入処理部は、前記記憶部への読み書きが許可されたアクセス手段を含み、販売処理部から許可情報を受信すると、そのアクセス手段によって、記憶部に記憶される電子マネー情報を読み出し、さらに代金精算処理部から残額情報を受信すると、そのアクセス手段によって、受信した残額情報を新たな電子マネー情報として記憶部に書き込むことを特徴とする請求項１に記載のオンライン金銭処理システム。
【請求項５】
前記記憶部は、非接触ＩＣチップによって構成されることを特徴とする請求項１に記載のオンライン金銭処理システム。
【請求項６】
コンピュータネットワークを介して商品の販売を行う販売処理部から購入する商品の代金の決済を電子マネーによって行う旨の決済要求情報を無線によって販売処理部に送信する決済要求情報送信工程と、
決済要求情報送信工程で送信された決済要求情報に応答して、商品の購入を電子マネーによって決済することを許可する許可情報および購入される商品の代金を表す代金情報を販売処理部から受信すると、電子マネーを表す電子マネー情報を記憶する記憶部に記憶される電子マネー情報を読み出し、読み出した電子マネー情報を、販売処理部から受信した代金情報とともに、コンピュータネットワークを介して電子マネーによる代金の精算を行う代金精算処理部に無線によって送信する電子マネー情報送信工程と、
電子マネー情報送信工程で送信された電子マネー情報および代金情報に応答して、送信された電子マネー情報が示す電子マネーの金額から、送信された代金情報が示す商品の代金を減額した残額を表す残額情報を、代金精算処理部から受信すると、受信した残額情報を新たな電子マネー情報として記憶部に記憶する記憶工程とをコンピュータに実行させるためのプログラム。
【発明の詳細な説明】
【技術分野】
【０００１】
本発明は、コンピュータネットワーク上でのオンライン商取引に伴う金銭処理を行うオンライン金銭処理システムおよびプログラムに関する。
【背景技術】
【０００２】
近年、インターネットなどのコンピュータネットワークを利用したオンライン商取引が盛んに行われており、携帯電話機などからも商取引が可能となっている。このようなオンライン商取引においては、現金の受け渡しを必要としないなどの利便性から、電子マネーによって代金を支払うことも行われている。携帯電話機の電子マネーは、携帯電話機に搭載される非接触ＩＣ（Integrated Circuit）チップに記憶される。
【０００３】
図３は、第１の従来の技術による電子マネー決済システム２の構成の一例を示す。電子マネー決済システム２は、オンライン商取引において、携帯電話機に搭載される非接触ＩＣチップに記憶される電子マネーによって商品の代金を決済するシステムである。電子マネー決済システム２は、携帯電話機２０、小売店サーバ２１、および電子マネー会社サーバ２２を含み、小売店サーバ２１および電子マネー会社サーバ２２は、コンピュータネットワーク２３によって接続され、携帯電話機２０は無線によってコンピュータネットワーク２３に接続可能である。
【０００４】
携帯電話機２０は、無線通信機能およびブラウザ機能を有し、ユーザは、コンピュータネットワーク２３を介してオンライン商取引、たとえばオンラインショッピングが可能である。ユーザは、小売店サーバ２１によって示される決済メニューの中から電子マネーによる決済を選択することによって、オンラインショッピングで購入する商品の代金を電子マネーで決済することができる。電子マネーで決済するためには、携帯電話機２０が有する非接触ＩＣチップ２０１に予め電子マネーをチャージしておく必要がある。チャージする金額を現金などで電子マネー会社に支払うことによって、その金額の電子マネーが、電子マネーをチャージするための専用の装置によって携帯電話機２０の非接触ＩＣ２０１にチャージされる。専用アプリ２０２は、非接触ＩＣチップ２０１に記憶される電子マネーにアクセスするための専用のアプリケーションプログラムであり、決済を行うためにその都度電子マネー会社サーバ２２から提供される。携帯電話機２０のアプリブラウザ２０３は、この専用アプリ２０２を起動することによって非接触ＩＣチップ２０１に記憶される電子マネーにアクセスすることができる。
【０００５】
小売店サーバ２１は、オンラインショッピングを行うための仮想の店舗をインターネットのＷｅｂ画面上に開設するサーバである。小売店サーバ２１は、携帯電話機２０から電子マネーによる決済の要求があると、電子マネーによる決済の要求、商品の金額、および購入者を特定する情報を電子マネー会社サーバ２２に送り、決済を依頼する。
【０００６】
電子マネー会社サーバ２２は、各ユーザの電子マネーを管理し、代金などの精算を行うサーバである。電子マネー会社サーバ２２は、小売店サーバ２１から決済の依頼を受けると、電子マネーによる決済を行うための専用アプリ２０２を電子メールによって、購入者の携帯電話機２０に送信する。電子メールによって専用アプリ２０２を受信した携帯電話機２０のアプリブラウザ２０３は、受信した専用アプリ２０２を起動することによって、携帯電話機２０の非接触ＩＣチップ２０１に記憶される電子マネーによって決済を行う。
【０００７】
図４は、図３に示した電子マネー決済システム２における処理手順のシーケンスを示す。携帯電話機２０によって購入商品を選択してから、電子マネーによる決済が完了するまでの処理手順を、シーケンスＡ１からシーケンスＡ１０までの決済方法選択時、およびシーケンスＡ１１からシーケンスＡ２６までの決済時に分けて、図４の上方から下方に時系列に示している。
【０００８】
シーケンスＡ１では、携帯電話機２０が有するブラウザ機能であるアプリブラウザ２０３は、小売店サーバ２１にアクセスし、小売店サイトのＷｅｂ画面で購入商品を選択する。シーケンスＡ２では、携帯電話機２０によって選択された購入商品を示す購入商品情報が小売店サーバ２１に送信される。シーケンスＡ３では、小売店サーバ２１は、購入商品の決済方法のメニューをｃＨＴＭＬで記述した決済メニュー情報を携帯電話機２０に送信する。シーケンスＡ４では、決済メニュー情報が小売店サーバ２１から携帯電話機２０に送信される。
【０００９】
シーケンスＡ５では、アプリブラウザ２０３は、受信した決済メニュー情報が示す決済メニューの中から、電子マネーでの決済を選択する。シーケンスＡ６では、電子マネーでの決済が選択されたことを示す電子マネー決済選択情報が携帯電話機２０から小売店サーバ２１に送信される。シーケンスＡ７では、小売店サーバ２１は、電子マネーによる決済を電子マネー会社サーバ２２に依頼するために、電子マネーによる決済の要求、商品の金額、および購入者を特定する情報を電子マネー会社サーバ２２に送信する。シーケンスＡ８では、電子マネー決済依頼ための電子マネー決済情報が、小売店サーバ２１から電子マネー会社サーバ２２に送信される。シーケンスＡ９では、電子マネー会社サーバ２２は、電子マネー決済情報を受信すると、電子マネー決済専用アプリつまり専用アプリ２０２を電子メールに添付して、購入者を特定する情報に基づいて購入者の携帯電話機２０に送付する。シーケンスＡ１０では、専用アプリ２０２が添付された電子メールが、電子マネー会社サーバ２２から携帯電話機２０に送信される。
【００１０】
シーケンスＡ１１では、アプリブラウザ２０３は、受信した電子メールに添付された専用アプリ２０２を起動し、電子マネー情報の読み出しを専用アプリ２０２に依頼する。シーケンスＡ１２では、電子マネー情報読み出し要求がアプリブラウザ２０３から専用アプリ２０２に送られる。シーケンスＡ１３では、専用アプリ２０２は、電子マネー情報を非接触ＩＣチップ２０１から読み出す。シーケンスＡ１４では、電子マネー情報が専用アプリ２０２からアプリブラウザ２０３に送られる。シーケンスＡ１５では、アプリブラウザ２０３は、電子マネー情報を電子マネー会社サーバ２２に送信する。シーケンスＡ１６では、電子マネー情報が携帯電話機２０から電子マネー会社サーバ２２に送信される。シーケンスＡ１７では、電子マネー会社サーバ２２は、受信した電子マネー情報を元に、決済処理を行ない、減額情報を携帯電話機２０に送信する。
【００１１】
シーケンスＡ１８では、減額情報が電子マネー会社サーバ２２から携帯電話機２０に送信される。シーケンスＡ１９では、アプリブラウザ２０３は、減額情報を受信すると、受信した減額情報を専用アプリ２０２に渡す。シーケンスＡ２０では、減額情報がアプリブラウザ２０３から専用アプリ２０２に送られる。シーケンスＡ２１では、専用アプリ２０２は、減額情報によって非接触ＩＣチップ２０１に記憶されている電子マネーの減額処理を行い、結果をアプリブラウザ２０３にフィードバックする。シーケンスＡ２２では、減額処理完了通知が、専用アプリ２０２からアプリブラウザ２０３に送られる。シーケンスＡ２３では、アプリブラウザ２０３は、決済処理を完了する。シーケンスＡ２４では、電子マネー会社サーバ２２は、シーケンスＡ１７に引続き、決済情報を小売店サイトつまり小売店サーバ２１にフィードバックする。シーケンスＡ２５では、決済情報が電子マネー会社サーバ２２から小売店サーバ２１に送信される。シーケンスＡ２５では、小売店サーバ２１は、決済情報を受信すると、決済処理を完了し、商品の発送処理を開始する。
【００１２】
携帯電話機が有する電子マネー機能を利用して決済することができる第２の従来の技術として、電子マネー決済システムがある。この電子マネー決済システムは、電子マネー情報を記憶する非接触ＩＣチップを搭載した携帯通信端末を含む。携帯通信端末は、非接触ＩＣチップに電子マネー情報を記憶するとともに、仮課金を記憶する。仮課金は、携帯電話によって利用可能な商品の購入たとえば音楽をダウンロードし携帯通信端末の記憶部に記憶することに対する対価の金額であり、決済サーバによって決済すべき金額である。携帯通信端末は、商品の購入に伴い、非接触ＩＣチップに記憶される電子マネーから商品購入の対価の金額を差し引くとともに、差し引いた金額を仮課金として、非接触ＩＣチップに記憶する。決済サーバとの決済は、仮課金に基づいて、その後で通信によって行うものである。非接触ＩＣチップから電子マネーを読み書きするリーダ／ライタがなくても、商品を購入することができる（たとえば特許文献１参照）。
【００１３】
【特許文献１】特開２００６−２６０１９６号公報
【発明の開示】
【発明が解決しようとする課題】
【００１４】
しかしながら、第１の従来の技術は、商品購入時に、電子マネー会社サーバから、携帯電話機の非接触ＩＣチップにアクセスして決済するための専用アプリの提供を受ける必要があるという問題がある。第２の従来の技術は、携帯電話機が有する電子マネーによって決済するものであるが、決済サーバとの決済が完了するまで、携帯電話機の電子マネーの残高と決済サーバにおける電子マネーの残高とが一致しないという問題がある。
【００１５】
本発明の目的は、電子マネーによる決済のための専用アプリの提供を決済サーバから決済時に受領する必要がなく、かつ商品購入時に決済を行うことができるオンライン金銭処理システムおよびプログラムを提供することである。
【課題を解決するための手段】
【００１６】
本発明は、電子マネーを表す電子マネー情報を記憶する記憶部を含み、携帯可能であり、かつ無線によってコンピュータネットワークに接続可能な購入処理部と、
コンピュータネットワークを介してオンラインで商品の販売を行う販売処理部と、
コンピュータネットワークを介して電子マネーによる代金の精算を行う代金精算処理部とを含み、
購入処理部は、販売処理部から購入する商品の代金の決済を電子マネーによって行う旨の決済要求情報を販売処理部に送信し、
販売処理部は、購入処理部から決済要求情報を受信すると、購入される商品の代金を表す代金情報および電子マネーによる決済を許可するための許可情報を購入処理部に送信し、
購入処理部は、販売処理部から代金情報および許可情報を受信すると、記憶部に記憶される電子マネー情報を読み出し、読み出した電子マネー情報および購入処理部から受信した代金情報を代金精算処理部に送信し、
代金精算処理部は、購入処理部から電子マネー情報および代金情報を受信すると、受信した電子マネー情報が示す電子マネーの金額から、受信した代金情報が示す商品の代金を減額し、減額した電子マネーの残額を表す残額情報を購入処理部に送信し、
購入処理部は、代金精算処理部から残額情報を受信すると、受信した残額情報を新たな電子マネー情報として記憶部に記憶することを特徴とするオンライン金銭処理システムである。
【００１７】
本発明に従えば、携帯可能であり、かつ無線によってコンピュータネットワークに接続可能な購入処理部によって、電子マネーを表す電子マネー情報を記憶する記憶部が含まれ、販売処理部によって、コンピュータネットワークを介してオンラインで商品の販売が行われ、代金精算処理部によって、コンピュータネットワークを介して電子マネーによる代金の精算が行なわれる。さらに、購入処理部によって、販売処理部から購入する商品の代金の決済を電子マネーによって行う旨の決済要求情報が販売処理部に送信され、販売処理部によって、購入処理部から決済要求情報が受信されると、購入される商品の代金を表す代金情報および電子マネーによる決済を許可するための許可情報が購入処理部に送信される。購入処理部によって、販売処理部から代金情報および許可情報が受信されると、記憶部に記憶される電子マネー情報が読み出され、読み出された電子マネー情報および購入処理部から受信された代金情報が代金精算処理部に送信される。代金精算処理部によって、購入処理部から電子マネー情報および代金情報が受信されると、受信された電子マネー情報が示す電子マネーの金額から、受信した代金情報が示す商品の代金が減額され、減額された電子マネーの残額を表す残額情報が購入処理部に送信される。購入処理部によって、代金精算処理部から残額情報が受信されると、受信された残額情報が新たな電子マネー情報として記憶部に記憶されるので、電子マネーによる決済のための専用アプリの提供を代金精算処理部たとえば決済サーバから決済時に受領する必要がなく、かつ商品購入時に決済を行うことができる。
【００１８】
また本発明は、前記購入処理部は、
決済の開始の指示を要求するための決済指示要求情報を表示する表示部と、表示部に表示される決済指示要求情報に応答して、決済の開始を指示するための決済開始指示情報を入力する入力部とをさらに含み、
前記販売処理部から許可情報を受信すると、決済開始要求情報を表示部に表示し、表示部に表示された決済開始要求情報に応答して、入力部によって決済開始指示情報が入力された後に、記憶部に記憶される電子マネー情報を読み出し、読み出した電子マネー情報を代金情報とともに代金精算処理部に送信することを特徴とする。
【００１９】
本発明に従えば、前記購入処理部によって、決済の開始の指示を要求するための決済指示要求情報を表示する表示部と、表示部に表示される決済指示要求情報に応答して、決済の開始を指示するための決済開始指示情報を入力する入力部とがさらに含まれ、前記販売処理部から許可情報が受信されると、決済開始要求情報が表示部に表示され、表示部に表示された決済開始要求情報に応答して、入力部によって決済開始指示情報が入力された後に、記憶部に記憶される電子マネー情報が読み出され、読み出された電子マネー情報が代金情報とともに代金精算処理部に送信されるので、販売処理部たとえば小売店サーバの許可に基づいて表示される決済開始要求情報たとえば決済ボタンに応答して、ユーザ操作たとえば決済ボタンを押下することによって、電子マネーの決済を開始することができる。
【００２０】
また本発明は、前記許可情報は、コンパクトハイパーテキストマークアップ言語（ｃＨＴＭＬ）で記述される予め定める様式の命令によって表されることを特徴とする。
【００２１】
本発明に従えば、前記許可情報は、コンパクトハイパーテキストマークアップ言語（ｃＨＴＭＬ）で記述される予め定める様式の命令によって表されるので、小売店サーバでは、簡単に許可情報を記述することができ、さらにその小売店サーバ独自に予め定める様式の命令で記述することができる。
【００２２】
また本発明は、前記購入処理部は、前記記憶部への読み書きが許可されたアクセス手段を含み、販売処理部から許可情報を受信すると、そのアクセス手段によって、記憶部に記憶される電子マネー情報を読み出し、さらに代金精算処理部から残額情報を受信すると、そのアクセス手段によって、受信した残額情報を新たな電子マネー情報として記憶部に書き込むことを特徴とする。
【００２３】
本発明に従えば、前記購入処理部によって、前記記憶部への読み書きが許可されたアクセス手段が含まれ、販売処理部から許可情報が受信されると、そのアクセス手段によって、記憶部に記憶される電子マネー情報が読み出され、さらに代金精算処理部から残額情報が受信されると、そのアクセス手段によって、受信した残額情報が新たな電子マネー情報として記憶部に書き込まれるので、記憶部への読み書きは、許可されたアクセス手段たとえば電子マネー会社サーバによって許可されたアクセスモジュールによってのみ可能とすることができる。
【００２４】
また本発明は、前記記憶部は、非接触ＩＣチップによって構成されることを特徴とする。
【００２５】
本発明に従えば、前記記憶部は、非接触ＩＣチップによって構成されるので、非接触ＩＣチップにチャージされている電子マネーによって決済することができる。
【００２６】
また本発明は、コンピュータネットワークを介して商品の販売を行う販売処理部から購入する商品の代金の決済を電子マネーによって行う旨の決済要求情報を無線によって販売処理部に送信する決済要求情報送信工程と、
決済要求情報送信工程で送信された決済要求情報に応答して、商品の購入を電子マネーによって決済することを許可する許可情報および購入される商品の代金を表す代金情報を販売処理部から受信すると、電子マネーを表す電子マネー情報を記憶する記憶部に記憶される電子マネー情報を読み出し、読み出した電子マネー情報を、販売処理部から受信した代金情報とともに、コンピュータネットワークを介して電子マネーによる代金の精算を行う代金精算処理部に無線によって送信する電子マネー情報送信工程と、
電子マネー情報送信工程で送信された電子マネー情報および代金情報に応答して、送信された電子マネー情報が示す電子マネーの金額から、送信された代金情報が示す商品の代金を減額した残額を表す残額情報を、代金精算処理部から受信すると、受信した残額情報を新たな電子マネー情報として記憶部に記憶する記憶工程とをコンピュータに実行させるためのプログラムである。
【００２７】
本発明に従えば、コンピュータネットワークを介して商品の販売を行う販売処理部から購入する商品の代金の決済を電子マネーによって行う旨の決済要求情報を販売処理部に無線によって送信する決済要求情報送信工程と、決済要求情報送信工程で送信された決済要求情報に応答して、商品の購入を電子マネーによって決済することを許可する許可情報および購入される商品の代金を表す代金情報を販売処理部から受信すると、電子マネーを表す電子マネー情報を記憶する記憶部に記憶される電子マネー情報を読み出し、読み出した電子マネー情報を、販売処理部から受信した代金情報とともに、コンピュータネットワークを介して電子マネーによる代金の精算を行う代金精算処理部に無線によって送信する電子マネー情報送信工程と、電子マネー情報送信工程で送信された電子マネー情報および代金情報に応答して送信された電子マネー情報が示す電子マネーの金額から、送信された代金情報が示す商品の代金を減額した残額を表す残額情報を、代金精算処理部から、受信すると、受信した残額情報を新たな電子マネー情報として記憶部に記憶する記憶工程とをコンピュータに実行させるためのプログラムとして提供することができるので、このプログラムを携帯電話機に搭載すれば、電子マネーによる決済のための専用アプリの提供を決済サーバから決済時に受領する必要がなく、かつ商品購入時に決済を行うことができる。
【発明の効果】
【００２８】
本発明によれば、電子マネーによる決済のための専用アプリの提供を代金精算処理部たとえば決済サーバから決済時に受領する必要がなく、かつ商品購入時に決済を行うことができる。したがって、ユーザにとっては、電子メールによって専用アプリを受信する必要がなく、より簡単な操作で電子マネーによる決済を行うことができる。販売処理部たとえば小売店サーバは、代金精算処理部たとえば決済サーバである電子マネー会社サーバに専用アプリの送信依頼を行う必要がなくなる。さらに、電子マネー会社サーバは、専用アプリを購入処理部たとえば携帯電話機に送信する必要がなくなる。電子マネーによる決済を行うためのコンピュータネットワークによるデータの通信量を軽減することができ、コンピュータネットワークへの負担を軽減することができる。
【００２９】
また本発明によれば、販売処理部たとえば小売店サーバの許可に基づいて表示される決済開始要求情報たとえば決済ボタンに応答して、ユーザ操作たとえば決済ボタンを押下することによって、電子マネーの決済を開始することができるので、電子メールを受信し、受信した電子メールに添付された専用アプリを起動する操作を行う必要がなく、ユーザ操作を簡単化することができる。
【００３０】
また本発明によれば、小売店サーバでは、簡単に許可情報を記述することができ、さらにその小売店サーバ独自に予め定める様式の命令で記述することができるので、他の小売店サーバと異なる命令を用いることができ、他の小売店サーバからの許可情報によって、電子マネーの決済が行われることを防止することができる。
【００３１】
また本発明によれば、記憶部への読み書きは、許可されたアクセス手段たとえば電子マネー会社サーバによって許可されたアクセスモジュールによってのみ可能とすることができるので、電子マネー会社サーバによって許可されていないアクセスモジュールによって、記憶部に記憶される電子マネーに不正にアクセスされることを防止することができる。
【００３２】
また本発明によれば、非接触ＩＣチップにチャージされている電子マネーによって決済することができるので、非接触ＩＣチップが搭載されるたとえば携帯電話機によって、商品を購入した際に、電子マネーによる決済を簡単に行うことができる。
【００３３】
また本発明によれば、このプログラムを携帯電話機に搭載すれば、電子マネーによる決済のための専用アプリの提供を決済サーバから決済時に受領する必要がなく、かつ商品購入時に決済を行うことができるので、ユーザにとっては、電子メールによって専用アプリを受信する必要がなく、より簡単な操作で電子マネーによる決済を行うことができる。
【発明を実施するための最良の形態】
【００３４】
図１は、本発明の実施の一形態である携帯電子マネー決済システム１の構成の一例を示す。オンライン金銭処理システムである携帯電子マネー決済システム１は、携帯電話機１０、小売店サーバ１１、および電子マネー会社サーバ１２を含み、小売店サーバ１１および電子マネー会社サーバ１２は、コンピュータネットワーク１３に接続されており、携帯電話機１０は無線によってコンピュータネットワーク１３に接続可能である。図１には、１台の携帯電話機１０および１台の小売店サーバ１１のみ記載しているが、これらは１台に限られるものではなく、複数台接続することが可能である。
【００３５】
携帯電話機１０は、通信機能およびブラウザ機能を有する携帯型の無線通信装置であり、通信機能によってコンピュータネットワークに接続し、ブラウザ機能によってインターネットにアクセスし、オンラインショッピングを行うことができる。携帯電話機１０は、電子マネーを表す電子マネー情報を記憶するための非接触ＩＣ（Integrated Circuit）チップ１０１、非接触ＩＣチップ１０１に記憶される電子マネー情報にアクセスするためのアクセスモジュール１０２、ブラウザ機能を実現するためのアプリブラウザ１０３、図示しないＣＰＵ（Central Processing Unit）、半導体メモリなどによって構成される図示しない記憶装置、液晶ディスプレイなどの図示しない表示装置、ならびに数字キー、上下左右キー、および決定キーを含む操作キーなどのキーから構成される入力装置を含む。非接触ＩＣチップ１０１に記憶される電子マネー情報にアクセスするためのアクセスモジュール１０２、およびブラウザ機能を実現するためのアプリブラウザ１０３は、図示しない記憶装置に記憶され、図示しないＣＰＵによって実行される。
【００３６】
非接触ＩＣチップ１０１は、不揮発メモリと無線通信チップとを内蔵した非接触型のメモリチップであり、たとえば国際標準ＩＳＯ／ＩＥＣ（International Organization 
for Standardization /International Electrotechnical Commission） １５４０８ ＥＡＬ（Evaluation Assurance Level）４に準拠する記憶装置である。非接触ＩＣチップ１０１に記憶される電子マネー情報は、非接触ＩＣチップ１０１にアクセスすることができる専用の装置、または電子マネー会社の認可を得た専用のアクセスモジュール１０２によって書き換えが可能である。
【００３７】
アクセスモジュール１０２は、非接触ＩＣチップ１０１にアクセスするためのプログラムであり、電子マネー会社の認可を得た小売店サーバ１１からダウンロードされ、図示しない記憶装置に記憶される。アクセスモジュール１０２は、アプリブラウザ１０３によって起動され、図示しないＣＰＵによって実行される。本発明に係るプログラムであるアプリブラウザ１０３は、ブラウザ機能を実現するためのプログラムであり、図示しない記憶装置に記憶され、図示しないＣＰＵによって実行される。アプリブラウザ１０３は、ユーザが携帯電話機１０の図示しない入力装置を操作することによって起動され、図２に示すシーケンス図のアプリブラウザ１０３の処理を実行する。
【００３８】
小売店サーバ１１は、コンピュータによって構成され、コンピュータネットワークを介して、商品をオンラインで販売するサーバであり、インターネット上で小売店サイトを運営する事業者のサーバである。小売店サーバ１１は、インターネット上にオンラインショッピングのための小売店サイトを開設し、ユーザは、携帯電話機１０からこの小売店サイトにアクセスすることができる。小売店サーバ１１が提供するＷｅｂ画面たとえば商品を選択するためのＷｅｂ画面を携帯電話機１０の図示しない表示装置に表示することによって、オンラインショッピングなどを行うことができる。小売店サーバ１１は、各携帯電話機１０に搭載される非接触ＩＣチップ１０１にチャージされている電子マネーによって、この小売店サーバ１１で購入する商品の代金を決済するためのアクセスモジュール１０１を、電子マネー管理会社の認可を得て、小売店サイトで提供している。ユーザは、アクセスモジュール１０２をこの小売店サイトから携帯電話機１０に予めダウンロードしておくことによって、この小売店サイトでの商品購入に対する携帯電話機１０の電子マネーによる決済を行うことができる。
【００３９】
電子マネー会社サーバ１２は、コンピュータによって構成され、各携帯電話機１０に搭載される非接触ＩＣチップ１０１にチャージされている電子マネーを管理する電子マネー会社のサーバである。電子マネー会社が提供する装置であって、非接触ＩＣチップに電子マネーをチャージする専用の装置、または電子マネー会社サーバ１２の認可を得たアクセスモジュール１０２によってのみ、各携帯電話機１０に記憶される電子マネー情報を操作することができる。
【００４０】
図２は、図１に示した携帯電子マネー決済システム１における処理手順のシーケンスを示す。図２は、携帯電話機１０によって購入商品を選択してから、電子マネーによる決済が完了するまでの処理手順を、シーケンスＳ１からシーケンスＳ９までの決済方法選択時、およびシーケンスＳ１０からシーケンスＳ２５までの決済時に分けて、図２の上方から下方に時系列に示している。ユーザが、携帯電話機１０の図示しない入力装置を操作して、インターネット上の小売店サイトたとえば小売店サーバ１１にアクセスし、小売店サイトが提供するＷｅｂ画面が図示しない表示装置に表示されると、シーケンスＳ１に移る。
【００４１】
シーケンスＳ１では、携帯電話機１０のアプリブラウザ１０３は、小売店サーバ１１から取得して表示したＷｅｂ画面で、ユーザの指示によって購入商品を選択する。シーケンスＳ２では、携帯電話機１０によって選択された購入商品を示す購入商品情報が小売店サーバ１１に送信される。シーケンスＳ３では、小売店サーバ１１は、購入商品情報を受信すると、購入商品の決済方法のメニューをｃＨＴＭＬ（Compact Hyper Text 
Markup Language）で記述した決済メニュー情報を携帯電話機１０に送信する。シーケンスＳ４では、決済メニュー情報が小売店サーバ１１から携帯電話機１０に送信される。決済メニュー情報は、たとえば電子マネーによる決済、クレジットカードによる決済、商品引き換え時の決済などの決済のメニューを表す情報である。
【００４２】
シーケンスＳ５では、アプリブラウザ１０３は、決済メニュー情報を受信すると、受信した決済メニュー情報を図示しない表示装置に表示し、決済メニュー情報が示す決済メニューの中から、ユーザの指示によって、電子マネーでの決済を選択する。シーケンスＳ６では、電子マネーでの決済が選択されたことを示す電子マネー決済選択情報が携帯電話機１０から小売店サーバ１１に送信される。シーケンスＳ７では、小売店サーバ１１は、電子マネー決済選択情報を受信すると、電子マネー用の決済情報つまり商品の代金を表す代金情報および電子マネーによる決済を許可するための許可情報を、専用タグを用いたｃＨＭＴＬ言語にて記述した電子マネー決済許可情報を送信する。専用タグは、たとえば「＜ＳＥＮＹＯ＞」、「＜／ＳＥＮＹＯ＞」などのタグであり、「＜ＳＥＮＹＯ＞」タグと「＜／ＳＥＮＹＯ＞」タグとの間に、電子マネー用の決済情報を記述する。この専用タグは、ｃＨＴＭＬで標準的に設けられているタグとは異なるタグであり、事業者ごとに設定することができ、携帯電話機１０のアプリブラウザ１０３が認識することができるように設定される。したがって、他の携帯電話機で用いられるブラウザ機能では、この専用タグを認識することできない。
【００４３】
シーケンスＳ８では、電子マネー決済許可情報が、小売店サーバ１１から携帯電話機１０に送信される。シーケンスＳ９では、アプリブラウザ１０３は、専用タグを用いたｃＨＭＴＬにて記述された電子マネー決済許可情報を受信すると、図示しない表示装置に表示されているＷｅｂ画面に「決済ボタン」を重畳して表示する。シーケンスＳ１０では、ユーザが、図示しない入力装置たとえば操作キーに含まれる上下左右キーを操作してポインタを「決済ボタン」の位置に合わせ、入力装置たとえば決定キーを押下すると、アプリブラウザ１０３は、電子マネー情報の読み出しをアクセスモジュール１０２に要求する。シーケンスＳ１１では、電子マネー情報読み出し要求が、アプリブラウザ１０３からアクセスモジュール１０２に指示される。シーケンスＳ１２では、アクセスモジュール１０２は、電子マネー情報読み出し要求を受け取ると、非接触ＩＣチップ１０１から電子マネー情報を読み出し、アプリブラウザ１０３に送る。シーケンスＳ１３では、電子マネー情報がアクセスモジュール１０２からアプリブラウザ１０３に送られる。
【００４４】
シーケンスＳ１４では、アプリブラウザ１０３は、シーケンスＳ８で送信された電子マネー決済許可情報に含まれる専用タグのｐａｒａｍ値と、アクセスモジュール１０２から受信した電子マネー情報とを電子マネー会社サーバ１２に送信する。専用タグのｐａｒａｍ値には、代金情報および購入した商品を識別するための情報などが含まれる。電子マネー情報には、非接触ＩＣチップにチャージされている電子マネーの金額、その電子マネーの所有者を識別するための識別情報が含まれる。シーケンスＳ１５では、専用タグのｐａｒａｍ値および電子マネー情報が携帯電話機１０から電子マネー会社サーバ１２に送信される。
【００４５】
シーケンスＳ１６では、電子マネー会社サーバ１２は、専用タグのｐａｒａｍ値および電子マネー情報を受信すると、受信した専用タグのｐａｒａｍ値および電子マネー情報を元に、決済処理を行ない、減額された減額値を示す減額情報を携帯電話機１０に送信する。決済処理は、電子マネー情報が示す電子マネーの金額から、受信した専用タグのｐａｒａｍ値に含まれる代金情報が示す代金を減額して減額値を求め、他の必要な処理、たとえば個人毎の電子マネーの残高を管理する管理簿の更新を行う処理である。シーケンスＳ１７では、減額情報が電子マネー会社サーバ１２から携帯電話機１０に送信される。シーケンスＳ１８では、アプリブラウザ１０３は、減額情報をアクセスモジュール１０２に渡す。シーケンスＳ１９では、減額情報がアプリブラウザ１０３からアクセスモジュール１０２に渡される。シーケンスＳ２０では、アクセスモジュール１０２は、非接触ＩＣチップ１０１に記憶されている電子マネーの減額処理を行い、つまり、減額情報が示す減額値を、電子マネーの残高として、非接触ＩＣチップ１０１に書き込み、減額処理の結果つまり減額処理が完了したこと示す減額処理完了通知をアプリブラウザ１０３にフィードバックする。シーケンスＳ２１では、減額処理完了通知が、アクセスモジュール１０２からアプリブラウザ１０３に送られる。シーケンスＳ２２では、アプリブラウザ１０３は、決済処理を完了する。シーケンスＳ２３では、電子マネー会社サーバ１２は、シーケンスＳ１６に引続き、決済情報を小売店サイトつまり小売店サーバ１１にフィードバックする。決済情報には、代金情報、購入した商品を識別するための情報、および電子マネーの所有者を識別するための識別情報が含まれる。シーケンスＳ２４では、決済情報が電子マネー会社サーバ１２から小売店サーバ１１に送信される。シーケンスＳ２５では、小売店サーバ１１は、決済情報を受信すると、決済処理を完了し、商品の発送処理を開始する。
【００４６】
アプリブラウザ１０３は、コンピュータたとえば図示しないＣＰＵに、図２に示したシーケンスの処理手順のうち、アプリブラウザ１０３に関する各工程を実行させるためのプログラムである。予め携帯電話機１０の図示しない記憶装置に記憶させておいてもよいし、たとえばアプリブラウザ１０３を提供するサーバから、コンピュータネットワークを介して、ユーザの携帯電話機１０にダウンロードすることができるようにしてもよい。
【００４７】
このように、携帯可能であり、かつ無線によってコンピュータネットワークに接続可能な購入処理部によって、電子マネーを表す電子マネー情報を記憶する記憶部が含まれ、販売処理部によって、コンピュータネットワークを介してオンラインで商品の販売が行われ、代金精算処理部によって、コンピュータネットワークを介して電子マネーによる代金の精算が行なわれる。さらに、購入処理部によって、販売処理部から購入する商品の代金の決済を電子マネーによって行う旨の決済要求情報が販売処理部に送信され、販売処理部によって、購入処理部から決済要求情報が受信されると、購入される商品の代金を表す代金情報および電子マネーによる決済を許可するための許可情報が購入処理部に送信される。購入処理部によって、販売処理部から代金情報および許可情報が受信されると、記憶部に記憶される電子マネー情報が読み出され、読み出された電子マネー情報および購入処理部から受信された代金情報が代金精算処理部に送信される。代金精算処理部によって、購入処理部から電子マネー情報および代金情報が受信されると、受信された電子マネー情報が示す電子マネーの金額から、受信した代金情報が示す商品の代金が減額され、減額された電子マネーの残額を表す残額情報が購入処理部に送信される。購入処理部によって、代金精算処理部から残額情報が受信されると、受信された残額情報が新たな電子マネー情報として記憶部に記憶されるので、電子マネーによる決済のための専用アプリの提供を代金精算処理部たとえば決済サーバから決済時に受領する必要がなく、かつ商品購入時に決済を行うことができる。したがって、ユーザにとっては、電子メールによって専用アプリを受信する必要がなく、より簡単な操作で電子マネーによる決済を行うことができる。販売処理部たとえば小売店サーバは、代金精算処理部たとえば決済サーバである電子マネー会社サーバに専用アプリの送信依頼を行う必要がなくなる。さらに、電子マネー会社サーバは、専用アプリを購入処理部たとえば携帯電話機に送信する必要がなくなる。電子マネーによる決済を行うためのコンピュータネットワークによるデータの通信量を軽減することができ、コンピュータネットワークへの負担を軽減することができる。
【００４８】
購入処理部は、たとえば携帯電話機１０であり、販売処理部は、たとえば小売店サーバ１１であり、代金精算処理部は、たとえば電子マネー会社サーバ１２であり、決済要求情報は、たとえば電子マネー決済選択情報であり、代金情報および許可情報は、たとえば電子マネー決済許可情報に含まれる情報であり、残高情報は、たとえば減額情報である。表示部は、たとえば図示しない表示装置であり、入力部は、たとえば図示しない入力装置であり、決済指示要求情報は、たとえば決済ボタンであり、決済開始指示情報は、たとえば決済ボタンを操作することによって入力される情報である。アクセス手段は、たとえばアクセスモジュール１０２である。
【００４９】
さらに、前記購入処理部によって、決済の開始の指示を要求するための決済指示要求情報を表示する表示部と、表示部に表示される決済指示要求情報に応答して、決済の開始を指示するための決済開始指示情報を入力する入力部とがさらに含まれ、前記販売処理部から許可情報が受信されると、決済開始要求情報が表示部に表示され、表示部に表示された決済開始要求情報に応答して、入力部によって決済開始指示情報が入力された後に、記憶部に記憶される電子マネー情報が読み出され、読み出された電子マネー情報が代金情報とともに代金精算処理部に送信されるので、販売処理部たとえば小売店サーバの許可に基づいて表示される決済開始要求情報たとえば決済ボタンに応答して、ユーザ操作たとえば決済ボタンを押下することによって、電子マネーの決済を開始することができる。したがって、電子メールを受信し、受信した電子メールに添付された専用アプリを起動する操作を行う必要がなく、ユーザ操作を簡単化することができる。
【００５０】
さらにまた、前記許可情報は、コンパクトハイパーテキストマークアップ言語（ｃＨＴＭＬ）で記述される予め定める様式の命令によって表されるので、小売店サーバでは、簡単に許可情報を記述することができ、さらにその小売店サーバ独自に予め定める様式の命令で記述することができる。したがって、他の小売店サーバと異なる命令を用いることができ、他の小売店サーバからの許可情報によって、電子マネーの決済が行われることを防止することができる。
【００５１】
さらに、前記購入処理部によって、前記記憶部への読み書きが許可されたアクセス手段が含まれ、販売処理部から許可情報が受信されると、そのアクセス手段によって、記憶部に記憶される電子マネー情報が読み出され、さらに代金精算処理部から残額情報が受信されると、そのアクセス手段によって、受信した残額情報が新たな電子マネー情報として記憶部に書き込まれるので、記憶部への読み書きは、許可されたアクセス手段たとえば電子マネー会社サーバによって許可されたアクセスモジュールによってのみ可能とすることができる。したがって、電子マネー会社サーバによって許可されていないアクセスモジュールによって、記憶部に記憶される電子マネーに不正にアクセスされることを防止することができる。
【００５２】
さらにまた、前記記憶部は、非接触ＩＣチップによって構成されるので、非接触ＩＣチップにチャージされている電子マネーによって決済することができる。したがって、非接触ＩＣチップが搭載されるたとえば携帯電話機によって、商品を購入した際に、電子マネーによる決済を簡単に行うことができる。
【００５３】
さらに、コンピュータネットワークを介して商品の販売を行う販売処理部から購入する商品の代金の決済を電子マネーによって行う旨の決済要求情報を販売処理部に無線によって送信する決済要求情報送信工程と、決済要求情報送信工程で送信された決済要求情報に応答して、商品の購入を電子マネーによって決済することを許可する許可情報および購入される商品の代金を表す代金情報を販売処理部から受信すると、電子マネーを表す電子マネー情報を記憶する記憶部に記憶される電子マネー情報を読み出し、読み出した電子マネー情報を、販売処理部から受信した代金情報とともに、コンピュータネットワークを介して電子マネーによる代金の精算を行う代金精算処理部に無線によって送信する電子マネー情報送信工程と、電子マネー情報送信工程で送信された電子マネー情報および代金情報に応答して、送信された電子マネー情報が示す電子マネーの金額から、送信された代金情報が示す商品の代金を減額した残額を表す残額情報を、代金精算処理部から受信すると、受信した残額情報を新たな電子マネー情報として記憶部に記憶する記憶工程とをコンピュータに実行させるためのプログラムとして提供することができるので、このプログラムを携帯電話機に搭載すれば、電子マネーによる決済のための専用アプリの提供を決済サーバから決済時に受領する必要がなく、かつ商品購入時に決済を行うことができる。したがって、ユーザにとっては、電子メールによって専用アプリを受信する必要がなく、より簡単な操作で電子マネーによる決済を行うことができる。
【図面の簡単な説明】
【００５４】
【図１】本発明の実施の一形態である携帯電子マネー決済システム１の構成の一例を示す。
【図２】図１に示した携帯電子マネー決済システム１における処理手順のシーケンスを示す。
【図３】第１の従来の技術による電子マネー決済システム２の構成の一例を示す。
【図４】図３に示した電子マネー決済システム２における処理手順のシーケンスを示す。
【符号の説明】
【００５５】
１  携帯電子マネー決済システム
２  電子マネー決済システム
１０，２０  携帯電話機
１１，２１  小売店サーバ
１２，２２  電子マネー会社サーバ
１３，２３  コンピュータネットワーク
１０１，２０１  非接触ＩＣチップ
１０２  アクセスモジュール
２０２  専用アプリ
１０３，２０３  アプリブラウザ
【図１】
2008139909.tif 000003
【図２】
2008139909.tif 000004
【図３】
2008139909.tif 000005
【図４】
2008139909.tif 000006